(57)【要約】【課題】誘導コイルのリード線が組み立てられた誘導発熱ローラ装置の運搬や表面処理に際して邪魔にならないようにし、装置のハンドリングの簡易化を図るとともに、支持ロッドの回転を簡単な機構で阻止することができる誘導加熱ローラ装置を提供すること。【解決手段】誘導コイルから引き出されたリード線１３と励磁電源に接続されたリード線１４を接続する場合には、プラグ１２をレセプタクル１１に差し込んだ後、ねじが切られたリング１７を回すことによりレセプタクル１１とプラグ１２が強固に結合する。この後、装置本体に固定されたストッパーにバー１５を係合させることにより、支持ロッド９がその回転を拘束される。一方、プラグ１２を抜き取った状態にあるときは、コネクタのレセプタクル１１がジャーナル２から飛び出していないので、ローラ装置本体を容易に運搬できるとともに、ローラシェルの表面処理も容易に行うことができる。【選択図】　　　　図２
2004071196.tif 000002
【特許請求の範囲】
【請求項１】
回転するローラの内部に誘導発熱機構を配置し、前記誘導発熱機構を支持ロッドで支持するとともに、前記誘導発熱機構を構成している誘導コイルに接続されるリード線を、前記支持ロッドの内部に挿通して外端部から外部に導出してなる誘導発熱ローラ装置において、前記支持ロッドの端部で、かつ前記ローラに連結されたジャーナルより飛び出さない位置に配置されたコネクタのレセプタクルと、このレセプタクルに着脱自在に設けられたプラグとを備え、前記レセプタクルに前記誘導コイルに接続されているリード線を接続するとともに、前記プラグに励磁電源に接続される電源線を接続したことを特徴とする誘導発熱ローラ装置。
【請求項２】
回転するローラの内部に誘導発熱機構を配置し、前記誘導発熱機構を支持ロッドで支持するとともに、前記誘導発熱機構を構成している誘導コイルに接続されるリード線を、前記支持ロッドの内部に挿通して外端部から外部に導出してなる誘導発熱ローラ装置において、前記支持ロッドの端部で、かつ前記ローラに連結されたジャーナルよりわずかに飛び出した位置に配置されたコネクタのレセプタクルと、このレセプタクルに着脱自在に設けられたプラグとを備え、前記レセプタクルに前記誘導コイルに接続されているリード線を接続するとともに、前記プラグに励磁電源に接続される電源線を接続したことを特徴とする誘導発熱ローラ装置。
【請求項３】
請求項１または請求項２に記載の誘導発熱ローラ装置において、前記プラグに回り止め用のバーを設け、前記支持ロッドの回転を防止したことを特徴とする誘導発熱ローラ装置。
【請求項４】
請求項１〜請求項３のいずれかに記載の誘導発熱ローラ装置において、前記レセプタクル部の外径を誘導発熱機構支持軸受部の内径より小さくしたことを特徴とする誘導発熱ローラ装置。
【発明の詳細な説明】
【０００１】
【発明の属する技術分野】
本発明は紙、プラスチック、布などの基材を加熱する誘導発熱ローラ装置に関する。
【０００２】
【従来の技術】
誘導発熱ローラ装置においては、回転自在とされているローラシェルの内部に、鉄心およびこれに巻装された誘導コイルからなる誘導発熱機構を設け、この誘導発熱機構を中空の支持ロッドによって支持するとともに、この支持ロッドをローラシェルの回転中心軸線に沿って配置し、さらに誘導コイルに連なるリード線を支持ロッドに挿通してその外端部から外部に導出し、その外部において交流電源に接続している。
【０００３】
図５は従来の誘導発熱ローラ装置の一例を示す断面図で、１はローラシェルで、その両端にジャーナル２が連結されており、このジャーナル２はローラ支持軸受３を介してフレーム４に回転自在に支持されている。そして、外部からの駆動力によって駆動軸５が回転されることにより、ローラシェル１が回転するようになっている。６は鉄心７と、これに巻装された誘導コイル８からなる誘導発熱機構であり、誘導コイル８が交流電源によって励磁されることにより、ローラシェル１が誘導発熱する。
【０００４】
誘導発熱機構６は中空状の支持ロッド９によりローラシェル１の内部に支持されている。支持ロッド９はジャーナル２内に挿通されることにより、ローラシェル１の回転中心軸線に沿って配置され、誘導発熱機構支持軸受１０を介してジャーナル２に支持されているので、ジャーナル２、したがってローラシェル１は支持ロッド９に対して回転自在とされている。
【０００５】
誘導コイル８を外部の交流電源に接続するために、誘導コイル８から引き出されたリード線１１は、この支持ロッド９の内部を通って、支持ロッド９の外端部から外部に引き出されている。引き出されたリード線１１の端部は直接または外部端子を介して交流電源（図示せず）に接続されている。
【０００６】
このような誘導発熱ローラ装置において、支持ロッドの外端部から外部に引き出されているリード線が故意または偶然に引っ張られた場合、あるいは支持ロッドの内部に押し込まれた場合、リード線は支持ロッドの内部を移動することとなり、これによりリード線が支持ロッドの内部で破損したり、あるいは誘導コイルから引きちぎられることがある。破損したり、引きちぎられたリード線を補修するには、誘導発熱機構、支持ロッドをローラシェルから取り出し、分解しなければならず、その作業は極めて面倒である。
【０００７】
また、誘導発熱ローラ装置を製造する際、リード線を装着した装置を運搬したり、ローラシェルの表面処理を行う必要があるが、組み立てられた誘導発熱ローラ装置からリード線が出ていると運搬や作業の邪魔となるという問題がある。すなわち、例えば完成された誘導発熱ローラ装置を機台から降ろし、クレーンなどによって吊り下げたとき、リード線が垂れ下がってバランスが崩れたり、また、クレーンにより移動させるときも、リード線が他の器物に当たらないように注意する必要がある。さらに、誘導発熱ローラ装置のローラ支持軸受を交換する場合、ジャーナルから除去した軸受をリード線から引き抜く必要があり、長いリード線から軸受を引き抜くのは面倒である。
【０００８】
このため、リード線を同軸多層導体に接続し、この同軸多層導体に電源側の接続線をクランプ状の接続具で接続することが提案されている。図６はこのような同軸多層導体を用いて誘導コイルのリード線を電源に接続する構成を示す図で、図６（ａ）は支持ロッドから出ている同軸多層導体の部分を示す図であり、図６（ｂ）は同軸多層導体の導体と電源側の接続線を接続する接続具の部分の拡大図である。図６に示すように、同軸多層導体２０は中心となる導体２１と、導体２１の外周を絶縁する絶縁チューブと、その絶縁チューブの外周を囲むように設けられた他の導体２２と、導体２２の外周を絶縁する絶縁チューブとからなり、導体２１、２２の一方端が誘導コイルに接続され、導体２１、２２の他方端は、外部に露出され、同軸２段状とされている。
【０００９】
そして、露出された導体２１、２２にはクランプ状の接続具２３が着脱自在に取り付けられている。この接続具２３は図６（ｂ）に示すように環状部２５を有し、ここに導体２１、２２を挿通し、導体２１、２２を挿通した状態でボルト２６を締め付けることにより、導体２１、２２を電源側のリード線２４に接続することができる。
【００１０】
【発明が解決しようとする課題】
従来の誘導発熱ローラ装置は上記のように構成されているが、組み立てられた誘導発熱ローラ装置からリード線が出ていると、リード線の支持ロッド内部での破損や運搬や作業の邪魔となるという問題があり、また、同軸多層導体を用いたリード線の接続機構を採用すると、上記のように、接続部がジャーナルより外部に位置するため、接続具を取り外した状態でも、同軸多層導体がジャーナルより外部に飛び出し、組み立てられた誘導発熱ローラ装置のハンドリングの邪魔になるという問題がある。また、同軸多層導体を用いた接続機構では、同軸多層導体にクランプ状の接続具をボルトで固定し、また接続部の絶縁処理も必要とされるため組立てに手間がかかる、という問題があった。
【００１１】
一方、外部駆動源によって駆動軸を回転させ、ローラシェルを回転させた場合、その回転力が誘導発熱機構支持軸受の回転抵抗を介して支持ロッドに伝達され、支持ロッドが回転しようとするので、支持ロッドに別途回り止め用の機構が必要となり、構成が複雑になるという問題もあった。
【００１２】
本発明は、上記の問題に鑑みてなされたもので、誘導コイルをその励磁電源に接続するのに必要な電源リード線を組み立てられた誘導発熱ローラ装置の運搬やローラシェルの表面処理に際して邪魔な存在にならないようにし、ハンドリングの簡易化を図ることができるとともに、支持ロッドの回転を簡単な機構で阻止することができる誘導発熱ローラ装置を提供することを目的とする。
【発明が解決しようとする課題】
【００１３】
【課題を解決するための手段】
請求項１に係る発明は、回転するローラの内部に誘導発熱機構を配置し、前記誘導発熱機構を支持ロッドで支持するとともに、前記誘導発熱機構を構成している誘導コイルに接続されるリード線を、前記支持ロッドの内部に挿通して外端部から外部に導出してなる誘導発熱ローラ装置において、前記支持ロッドの端部で、かつ前記ローラに連結されたジャーナルより飛び出さない位置に配置されたコネクタのレセプタクルと、このレセプタクルに着脱自在に設けられたプラグとを備え、前記レセプタクルに前記誘導コイルに接続されているリード線を接続するとともに、前記プラグに励磁電源に接続される電源線を接続したことを特徴とする。
【００１４】
請求項１に係る発明によれば、誘導コイルに励磁電源を接続する場合には、単にコネクタのレセプタクルにプラグを差し込んで接続すればよく、コネクタからプラグを抜いた状態では、支持ロッドからリード線が垂れ下がることはなく、しかも、レセプタクルが支持ロッドの端部で、かつジャーナルより飛び出さない位置に配置されているので、運搬時や表面処理の作業時にレセプタクルが邪魔とならず、ハンドリングが極めて容易となる。
【００１５】
請求項２に係る発明は、回転するローラの内部に誘導発熱機構を配置し、前記誘導発熱機構を支持ロッドで支持するとともに、前記誘導発熱機構を構成している誘導コイルに接続されるリード線を、前記支持ロッドの内部に挿通して外端部から外部に導出してなる誘導発熱ローラ装置において、前記支持ロッドの端部に、かつジャーナルよりわずかに飛び出した位置に配置されたコネクタのレセプタクルと、このレセプタクルに着脱自在に設けられたプラグとを備え、前記レセプタクルに前記誘導コイルに接続されているリード線を接続するとともに、前記プラグに励磁電源に接続される電源線を接続したことを特徴とする。
【００１６】
請求項２に係る発明によれば、請求項１に係る発明と同様に単にレセプタクルにプラグを差し込むだけでリード線を接続することができ、また、レセプタクルがローラに連結されたジャーナルより若干飛び出した位置に配置されているので、運搬時や表面処理の作業時にレセプタクルが邪魔となることはなく、組み立てられた誘導発熱ローラ装置のハンドリングが極めて容易となる。
【００１７】
請求項３に係る発明は、請求項１または請求項２に記載の誘導発熱ローラ装置において、前記プラグに回り止め用のバーを設け、前記支持ロッドの回転を防止することを特徴とし、請求項４に係る発明は、請求項１〜請求項３のいずれかに記載の誘導発熱ローラ装置において、前記レセプタクル部の外径を誘導発熱機構の支持軸受部の内径より小さくしたことを特徴とする。
【００１８】
請求項３に係る発明によれば、プラグに回り止め用のバーを設けたので、外部駆動源によって駆動軸が回転し、その回転力が誘導発熱機構支持軸受けの回転抵抗を介して支持ロッドに伝達される場合に、その回転力を前記バーで支持することにより、支持ロッドの回転を防止することができ、請求項４に係る発明によれば、レセプタクル部の外径を誘導発熱機構の支持軸受部の内径より小さくしたので、誘導発熱機構の支持軸受の交換の際にレセプタクルを取り外す手間を省くことができる。
【００１９】
【発明の実施の形態】
以下、本発明の誘導発熱ローラ装置の実施の形態について、図面を用いて説明する。図１は誘導発熱ローラ装置の断面図であり、図２はリード線の接続部の拡大図である。
図１、図２において、１はローラシェル、２はジャーナル、３はローラ支持軸受、４はフレーム、５は駆動軸、６は誘導発熱機構、７は鉄心、８は鉄心７に巻装された誘導コイル、９は支持ロッド、１０は誘導発熱機構支持軸受、１１はコネクタのレセプタクル、１２はプラグ、１３、１４はリード線、１５は回り止め用のバー、１６はストッパーであり、図５に示す符号と同じ符号を附した部分は同一のものを示している。
【００２０】
図５と同様に、ローラシェル１の両端にジャーナル２が連結されており、このジャーナル２はローラ支持軸受３を介してフレーム４に回転自在に支持され、外部からの駆動力によって駆動軸５が回転されると、ジャーナル２すなわちローラシェル１が回転するようになっている。誘導発熱機構６は、鉄心７と、この鉄心７に巻装された誘導コイル８からなり、誘導コイル８を交流電源によって励磁することにより、鉄心７、ローラシェル１の内面部、鉄心７・ローラシェル１間の空気部を磁気回路として磁束を発生し、ローラシェル１の内面部にうず電流が流れて発熱し、これによりローラシェル１が誘導加熱されてローラシェル１は高温になる。
【００２１】
この誘導発熱機構６は中空状の支持ロッド９によりローラシェル１の内部に支持され、支持ロッド９はジャーナル２内に挿通されることにより、ローラ１の回転中心軸線に沿って配置されている。この支持ロッド９は中空状であり、誘導発熱機構支持軸受１０を介してジャーナル２に支持され、ジャーナル２、すなわちローラシェル１は支持ロッド９に対して回転自在とされている。
【００２２】
誘導コイル８を外部の交流電源に接続するために、誘導コイル８から引き出されたリード線１３はジャーナル２より飛び出さない位置に配置されたコネクタのレセプタクル１１の端子に接続され、このレセプタクル１１の外径は誘導発熱機構の支持軸受部の内径より小さくなっている。一方、このレセプタクル１１に着脱自在に設けられたプラグ１２の端子には励磁電源に接続されるリード線１４が接続され、このプラグ１２の後端には、回り止め用のバー１５が設けられている。
【００２３】
誘導コイル８から引き出されたリード線１３と励磁電源に接続されたリード線１４を接続する場合には、プラグ１２をレセプタクル１１に差し込んだ後、ねじが切られたリング１７を回すことによりレセプタクル１１とプラグ１２が強固に結合され、リード線１３とリード線１４が電気的に接続される。この後、装置本体に固定されたストッパー１６にバー１５を係合させることにより、支持ロッド９がその回転を拘束される。
【００２４】
このように、リード線１３と１４をコネクタのレセプタクル１１とプラグ１２で接続することにより、リード線１４が故意または偶然に強い力で引っ張られた場合、プラグ１２とレセプタクル１１の結合部分が外れるか、あるいはプラグ側のリード線１４が破損したり、あるいは引きちぎられることはあるが、レセプタクル側のリード線１３が破損することはなく、リード線１３の破損による誘導発熱機構６、支持ロッド９のローラシェル１からの取り出し、分解は不要となる。また、リード線の接続は単にコネクタのレセプタクル１１とプラグ１２を接続するだけであるので、リード線の接続、切り離し作業を極めて容易に行うことができる。
【００２５】
また、誘導発熱機構支持軸受１０が磨耗したり、割れなどを生じて交換する必要が生じたとき、レセプタクル１１の外径が誘導発熱機構の支持軸受部の内径より小さいので、レセプタクル１１を取り外すことなく誘導発熱機構の支持軸受を交換でき、軸受の交換作業を簡単にすることができる。
さらに、外部駆動源によって駆動軸５を回転させ、ローラシェル１を回転させた場合、その回転力が誘導発熱機構支持軸受１０の回転抵抗を介して支持ロッド９に伝達され、支持ロッド９が回転しようとするが、プラグ１２に設けた回り止め用のバー１５がストッパー１６に係合されているので、支持ロッド９の回転が有効に阻止される。
【００２６】
一方、コネクタのプラグ１２を抜き取った状態にあるときは、コネクタのレセプタクル１１がジャーナル２から飛び出していないので、組み立てられた誘導発熱ローラ装置を容易に運搬できるとともに、ローラシェル１の表面処理作業も簡単に行うことができる。
【００２７】
次に、本発明の誘導加熱ローラ装置の他の実施の形態について、図３、図４により説明する。
この実施の形態では、コネクタのレセプタクル１１が支持ロッド９の端部で、かつジャーナル２よりわずかに飛び出した位置に配置されている点が図１、図２の実施の形態と異なり、他の部分は図１、図２の実施の形態と同様であるので、詳細な説明は省略する。
このように、コネクタのレセプタクル１１がジャーナル２よりわずかに飛び出していても、組み立てられた誘導発熱ローラ装置の運搬作業、ローラシェル１の表面処理に大きな支障はなく、作業を円滑に進めることができる。
【００２８】
【発明の効果】
以上詳述したように、本発明の誘導加熱ローラ装置は、ローラに連結されたジャーナルより飛び出さない位置あるいは若干飛び出した位置に配置されたコネクタのレセプタクルと、このレセプタクルに着脱自在に設けられたプラグとを備え、レセプタクルに誘導コイルに接続されているリード線を接続するとともに、プラグに励磁電源に接続される電源線を接続したので、誘導コイルに励磁電源を接続する場合には、単にレセプタクルにプラグを差し込んで接続すればよく、しかも、レセプタクルがジャーナルより飛び出さない位置あるいは若干飛び出した位置に配置されているので、組み立てられた誘導発熱ローラ装置の運搬時やローラシェルの表面処理の作業時にレセプタクルが邪魔とならず、ハンドリングがきわめて容易となる。
【００２９】
また、プラグに回り止め用のバーを設ければ、外部駆動源によって駆動軸が回転し、その回転力が誘導発熱機構支持軸受けの回転抵抗を介して支持ロッドに伝達される場合に、その回転力をバーで支持することにより、簡単な機構で支持ロッドの回転を防止することができ、また、レセプタクル部の外径を誘導発熱機構の支持軸受部の内径より小さくすれば、誘導発熱機構の支持軸受の交換の際にレセプタクルを取り外す手間を省くことができ、軸受の交換作業を容易にすることができる。
【図面の簡単な説明】
【図１】本発明の実施の形態に係る誘導加熱ローラ装置の断面図である。
【図２】図１の誘導発熱ローラ装置のリード線の接続部の拡大図である。
【図３】本発明の他の実施の形態に係る誘導加熱ローラ装置の断面図である。
【図４】図３の誘導発熱ローラ装置のリード線の接続部の拡大図である。
【図５】従来の誘導加熱ローラ装置を示す図である。
【図６】従来の同軸多層導体を用いてリード線を接続する機構を示す図である。
【符号の説明】
１　ローラシェル
２　ジャーナル
３、１０　軸受
４　フレーム
５　駆動軸
６　誘導発熱機構
７　鉄心
８　誘導コイル
９　支持ロッド
１１　レセプタクル
１２　プラグ
１３、１４　リード線
１５　バー
１６　ストッパー
１７　リング
【図１】
2004071196.tif 000003
【図２】
2004071196.tif 000004
【図３】
2004071196.tif 000005
【図４】
2004071196.tif 000006
【図５】
2004071196.tif 000007
【図６】
2004071196.tif 000008